(57)【要約】【課題】  少数枚数のプリントにおいてもファーストプリントのストレスを解消出来るインクジェットプリンタを提供する。【解決手段】  １ジョブにおける印刷枚数を本体内部に記憶する。記憶した枚数を本体の操作ボタンよりコマンドを与えることで記憶枚数分の空給紙をＡＳＦ・フロントトレイ手段から行う。これにより、印刷媒体の重なり順番を逆転させることができる。即ち、複数の給紙口があるインクジェットプリンタにおいて、ファーストプリントは紙パスが一番早い系からの給紙で行うことで、少数枚数のプリントにおいてもファーストプリントのストレスを解消出来る。【選択図】  図１
2006240069.tif 000002
【特許請求の範囲】
【請求項１】
印字ヘッドを主走査方向に移動し、印字媒体を主走査方向に対して鉛直方向に移動させ、所望の画像を印字媒体に記録する方式によって行うインクジェットプリンタにおいて、前記印刷媒体を複数の給紙口から機器内部に導入することが可能なような構造をもっており、当該インクジェットプリンタで印刷された枚数を記憶する手段を持つことを特徴とするインクジェットプリンタ。
【請求項２】
上記枚数はプリント単位毎によることを特徴とする請求項１記載のインクジェットプリンタ。
【請求項３】
上記記憶された枚数と同数の空給紙を行う事を特徴とする請求項１記載のインクジェットプリンタ。
【請求項４】
上記操作をプリンタ本体上で行うことを特徴とする請求項１記載のインクジェットプリンタ。
【請求項５】
上記操作はホストコンピュータ上からも操作できることを特徴とする請求項１記載のインクジェットプリンタ。
【発明の詳細な説明】
【技術分野】
【０００１】
本発明は、印字ヘッドを移動させつつ印字媒体を繰り上げながら印字媒体に記録を行うプリンタ装置において、印字媒体の印刷順番とその出力に関するものである。
【背景技術】
【０００２】
従来のインクジェットプリンタは図３に示すような形状をしているこのプリンタにおける給紙の方法はＡＳＦと呼称する印刷媒体給紙トレイからピックアップローラを用いて順次紙送りをすることで実現している。ここで本発明の実施したインクジェットプリンタと同様の思想を持つ部分は図１と同じ番号を付してあるので、各部分の動作の概要はそちらで確認できる。
【０００３】
従来のプリンタの性質上、印刷媒体の印刷順番はプリントデータの到着順による。これはシリアルプリンタとしての性質であり、印刷の順番を入れ替えることは印刷するページ以上のデータの保持を可能とする、たとえば、ページプリンタの様な仕組みが必要であり内部での入れ替えが必要で、仕組み自体が複雑になる傾向にある。かつ、一般のＰＣから印刷される印字データはほとんどの場合、アプリケーションによるデータ管理によるが、１ページ目から印刷を開始し最終ページが最後に印刷されるようになっている。
【０００４】
又、別の従来例としては、特許文献１をあげることが出来る。
【特許文献１】特開２００２−３３７４０６号公報
【発明の開示】
【発明が解決しようとする課題】
【０００５】
しかしながら、上記従来例の様なプリント結果は、インクジェットプリンタで出力した最後のページの出力結果が保持される。たとえば、排紙トレイ上においては一番上になることであり、実際の印刷書類は逆に１ページ目から順に使用することがほとんどであるので、いちいち印刷データの入れ替えを行うことが必要であった。これは一般に紙である印刷媒体の枚数が増えれば増えるほどその手間は対数的に体感的増加を示すという問題があった。また、複数頁の割付を行う場合などはプリンタドライバより逆頁印字を行なおうとする場合や、２枚を一頁に割り付け印字しようとする場合、奇数頁のドキュメントの場合は最初の頁の一部分が白紙になることがあり、また、４枚を一頁に割り付ける場合は奇数ならず偶数枚数であっても、頁の４分の２から、４分の３が白紙になってしまうというような現象が発生することがしばしばであり、それらを把握しながらプリンタドライバを設定しなければならないという煩雑さがつきまとっていた。
【課題を解決するための手段】
【０００６】
本発明によれば、印刷枚数をプリンタ本体に記憶する手段を持つことで、印刷後の処理を効率的にすることができる。
【発明の効果】
【０００７】
本発明によれば、本体内部に印刷枚数の記憶手段を持つことで、ＡＳＦ手段を用いてプリンタ単体で簡単に印刷順番を入れ替えることができる。
【発明を実施するための最良の形態】
【０００８】
本発明の詳細を実施例の記述に従って説明する。
【０００９】
以下に本発明の実施したシステムの説明をする。図１においては本発明を実施したインクジェットプリンタシステム全体の様子を模式的に表したものである。本図において印刷媒体は印刷にあたり右から左へその通路が確保されている図である。１は本発明を施したインクジェットプリンタ全体を表す。２は印刷媒体を表し、本発明を実施したインクジェットプリンタにおいては、前記印刷媒体２は右から左方向に給紙ができる構造になっている。３は本発明を実施したインクジェットプリンタの外装である。４は前記印刷媒体２を給紙口で保持するために用いるＡＳＦ手段である。５は本発明を駆動するためのソートスイッチ手段である。６は前記印刷媒体２が前記インクジェットプリンタ１内部において印刷終了後、印刷結果として保持されるための排紙トレイである。７は前記インクジェットプリンタ外装内部にあって前記印刷媒体２の移動方向とは鉛直の方向に主走査し、前記印刷媒体２に所望の情報を記録するためのヘッド手段である。８は前記ヘッド手段７と向面に位置し、かつ、印刷中は前記印刷媒体２を挟んで前記ヘッド手段７と反対側の位置関係になりつつ前記印刷媒体２を保持するためのプラテンである。９は前記インクジェットプリンタ１内部にあって、前記印刷媒体２を前記インクジェットプリンタ１内部へ所望の周期で副走査するための時計方向に回転する給紙ローラ１である。１０は前記給紙ローラと向面にあって、印刷時の多くの時間に前記印刷媒体を挟んで前記給紙ローラ１０と反対側にある給紙ローラ２である。１１は前記ＡＳＦ手段の中程に位置し、時計方向に回転することで前記印刷媒体２を前記インクジェットプリンタ内部に導入させる働きをもつピックアップローラである。１２は前記ピックアップローラの向面に位置し、前記ＡＳＦ手段４に複数枚数装填されている、前記印刷媒体２を一枚ずつに分離させるための分離ローラである。反時計方向に回転後、時計方向に回転する構造になっているが、その仕組みについては不図示とする。１４は、前記インクジェットプリンタ１内部にあって、前記ＡＳＦ手段から前記ピックアップローラＡＳＦ１１により取り出された前記印刷媒体２を精度よく前記給紙ローラ９の位置まで導くための給紙ガイドＡＳＦである。
【００１０】
図２は本発明を実施したインクジェットプリンタ装置の電気回路を模式的にあらわしたもので、２１は本発明を実施したインクジェットプリンタ装置の制御を行う為の集積回路ＡＳＩＣである。２３はＡＳＩＣ２１内部のＣＰＵ（不図示）を所望の動作をさせるためのＲＯＭ手段である。２２はＡＳＩＣ２１の動作において一時的に情報を蓄積しておくためのＲＡＭ手段である。２４は本発明の実施内容のひとつである印刷枚数の記憶を行う為の一時記憶素子である。２５および２６は本発明を実施したインクジェットプリンタ装置の媒体を給紙するための軸（不図示）を動かす為のモータ、および、図１で説明のヘッド手段７を所望の駆動をさせるためのドライバ手段である。２７および２８はそれぞれのドライバ手段に接続し駆動されるＬＦモータ手段、ＣＲモータ手段である。３０は本発明を実施したインクジェットプリンタ装置を操作するための操作パネル手段です。３１は前記操作パネル手段に実装してあり、電源を入切するためのパワースイッチである。３２は前記操作パネル手段に実装してあり、前記インクジェットプリンタ装置のエラー発生時に解除するためのエラー解除スイッチである。３３は、前記操作パネル手段に実装してあり、本発明の実施してあるインクジェットプリンタ装置のデータに基づき規定の給紙を行うことを始めるためのソートボタンである。
【００１１】
今、印刷開始から１０枚印刷すると仮定して説明する。ホストコンピュータ（ＰＣあるいはデジタルカメラ等）から印刷のための情報が発信されたとする。前記インクジェットプリンタ１はホスト（不図示）からのデータの受信を開始する。このとき前記インクジェットプリンタはこの印刷データが１ｓｔプリントかどうかをそのデータから判断する。印刷用データには各種印刷用の制御コード（不図示）が含まれており、特に印刷最初のデータは各種設定が付随しているのでそこで印刷開始時の信号かどうか判断できる。次に本実施例においては１ｓｔプリントデータと仮定しているので、前記インクジェットプリンタ１は画像データを受信しつつ内部で画像展開をおこない、かつ、前記ＡＳＦ手段から前記ピックアップローラＡＳＦ１１を使って印刷媒体を分離ローラ１２とともに分離し、前記給紙ローラ付近まで搬送する。このとき、前記インクジェットプリンタはシリアルプリンタであるので、画像展開の時間は前記ヘッド手段７で最低限利用する画像分のみを一度に展開するので電気的時間でみても非常に短い時間である。よってすでに用意されている印刷用データを前記ヘッド手段７へ転送しつつ前記給紙ローラ１  ９および給紙ローラ２  １０を用いて、前記プラテン上に前記印字媒体２２を移動させる。そして、前記ヘッド手段７をデータの転送とともに同期させつつ前記印刷媒体を副走査方向に移動させ印刷処理を行う。次に、次ページのデータがあるので残りＪＯＢを確認すると、ホストからのデータ受信を行いつつ、次の印刷の準備を始める。ここで一枚目の印字が終わった時点でインクジェットプリンタ装置１内部の一時記憶素子２４のカウント値（印刷開始時はゼロ）を一つアップさせる。ついで、２枚目の印刷を開始、終了するときに先ほどと同様に前記一時記憶素子２４のカウント値を一つアップする（現状カウント値は２）。そして順次カウント値をアップしていき、１０枚目の印刷終了時には前記一時記憶素子２４のカウント値は１０になっている。同時にこのとき最後に印刷された印刷物はドキュメントの頁としては最後の頁になっていることがしばしばである。このドキュメントを再度ＡＳＦ手段４にセットする。ついで本発明のソートスイッチ手段のボタンを押す。ボタンを押されたインクジェットプリンタは、給紙を開始する（不図示）。そして、給紙をおこなうが、印刷データは存在しないのでそのまま排紙する。このとき前記一時記憶素子のカウント値を一つ減算する（一枚排紙時に９になっている）。ついで、二枚目の給紙と排紙を行う。このときのカウント値は８になっている。このようにしてカウント値がゼロになるまでこの動作を継続し、すべての作業を終了する。最終的な作業を終了した時点で前記排紙トレイ６の上には、最初に印刷した印刷済み媒体が一番上になって出力された状態になっている。
【図面の簡単な説明】
【００１２】
【図１】本発明を実施したインクジェットプリンタ装置の模式図
【図２】本発明を実施したインクジェットプリンタ装置の回路の一部
【図３】従来のインクジェットプリンタ装置の模式図
【符号の説明】
【００１３】
１  インクジェットプリンタ全体
２  複数枚数の印刷媒体
３  インクジェットプリンタの外装
４  ＡＳＦ手段
５  給紙開始ボタン
６  排紙トレイ
７  インクジェットプリンタヘッド手段
８  プラテン手段
９  給紙ローラ１
１０  給紙ローラ２
１１  ピックアップローラＡＳＦ
１２  分離ローラＡＳＦ
１４  給紙ガイドＡＳＦ
【図１】
2006240069.tif 000003
【図２】
2006240069.tif 000004
【図３】
2006240069.tif 000005